【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
硬貨および紙幣を受取り、かつ、払出し、該受取られた硬貨および紙幣のいくつかまたはすべてを払出しされる硬貨および紙幣として再利用する装置であって、該装置は、
紙幣保管コンポーネントを含む少なくとも１つの紙幣処理ユニットと、
硬貨保管コンポーネントを含む少なくとも１つの硬貨処理ユニットと
を備え、
該紙幣処理ユニットは、個々の紙幣のインプットを受取るように構成されており、該紙幣処理ユニットにインプットされた紙幣は、アウトプットされた紙幣として再利用され得、該硬貨処理ユニットにインプットされた硬貨は、アウトプットされた硬貨として再利用され得る、装置。
【請求項２】
外部カバーをさらに備え、前記少なくとも１つの紙幣処理ユニットおよび前記少なくとも１つの硬貨処理ユニットは、同一の外部カバー内に含まれる、請求項１に記載の装置。
【請求項３】
前記紙幣保管コンポーネントと接続されたカウンタートップ内に開口部をさらに備え、前記装置内にフィードインされた紙幣は、該カウンタートップ内の該開口部を通って移動して、該紙幣保管コンポーネント内に保管される、請求項１または２に記載の装置。
【請求項４】
前記カウンタートップ内の前記開口部は、従業員および顧客の両方が該開口部を用いることができる位置に配置されている、請求項３に記載の装置。
【請求項５】
前記紙幣保管コンポーネントのすべては、前記カウンタートップの表面の下に配置されている、請求項１〜４のいずれか一項に記載の装置。
【請求項６】
前記紙幣保管コンポーネントからフィードアウトされた紙幣は、ユーザに提供される前に、前記カウンタートップ内の前記開口部を通って移動する、請求項１〜５のいずれか一項に記載の装置。
【請求項７】
前記硬貨処理ユニットは、前記硬貨保管コンポーネントに通じている前記カウンタートップ内の硬貨ユニット開口部を備え、前記装置内にフィードインされた硬貨は、該硬貨保管コンポーネントに保管される前に、該カウンタートップ内の該開口部を通って移動し、該紙幣処理ユニットは、該紙幣保管コンポーネントに通じている該カウンタートップ内の紙幣ユニット開口部を備え、該装置にフィードインされた紙幣は、該紙幣保管コンポーネント内に保管される前に該カウンタートップ内の該開口部を通って移動し、該紙幣および該硬貨保管コンポーネントからフィードアウトされた紙幣および硬貨は、ユーザに提供される前に、該カウンタートップ内の該開口部を通って移動する、請求項１〜６のいずれか一項に記載の装置。
【請求項８】
前記紙幣保管コンポーネントは、両方向に回転可能な少なくとも１つのドラムを備え、紙幣は、薄膜の層または他の適切な材料の層の間で転がされて、該１つ以上のドラムに巻き付けられることによって保管される、請求項１〜７のいずれか一項に記載の装置。
【請求項９】
異なった金種の紙幣が流入および流出する単一の開口部を備える、請求項１〜８のいずれか一項に記載の装置。
【請求項１０】
前記カウンタートップの上の前記装置の部分は、３００立方インチ未満の体積である、請求項１〜９のいずれか一項に記載の装置。
【請求項１１】
硬貨をフィードインして、出て来る硬貨を取り、紙幣をフィードインして、出て来る紙幣を取るために、ユーザの手が移動しなければならない累積距離は、３０インチ未満である、請求項１〜１０のいずれか一項に記載の装置。
【請求項１２】
異なった金種の硬貨を前記装置にインプットおよびアウトプットするためのスロット間の最小距離は、７インチである、請求項１〜１１のいずれか一項に記載の装置。
【請求項１３】
前記異なった金種の硬貨をインプットおよびアウトプットするための１つ以上のスロットと、前記異なった金種の紙幣をインプットおよびアウトプットするための１つ以上のスロットとの間の最小距離は、７インチである、請求項１〜１２のいずれか一項に記載の装置。
【請求項１４】
紙幣をインプットするための１つスロットと紙幣をアウトプットするための１つのスロットとを備え、該スロット間の最小距離は、７インチである、請求項１〜１３のいずれか一項に記載の装置。
【請求項１５】
ユーザが１つよりの硬貨を同時にフィードインすることを可能にするカップをさらに備えた、請求項１〜１４のいずれか一項に記載の装置。
【請求項１６】
前記硬貨処理ユニットは、前記硬貨保管コンポーネントに硬貨を搬送する可動平板をさらに備え、該硬貨保管コンポーネントに保管された硬貨は、それぞれ重ね合わされて平坦な位置に保管されることにより、硬貨のスタックを形成する、請求項１〜１５のいずれか一項に記載の装置。
【請求項１７】
硬貨が前記硬貨保管コンポーネントに保管されるレベルは、硬貨が前記装置からフィードアウトされるレベルよりも低い、請求項１〜１６のいずれか一項に記載の装置。
【請求項１８】
前記開口部は、混合された金種の紙幣をインプットおよびアウトプットの両方をするために用いられる、請求項１〜１７のいずれか一項に記載の装置。
【請求項１９】
前記紙幣保管コンポーネントに保管された紙幣は、１つより多い国によって発行された紙幣を含み、前記装置内にフィードインされた紙幣の価値を識別するように構成されている紙幣検出コンポーネントは、１つより多い国によって発行された紙幣の価値を識別する、請求項１〜１８のいずれか一項に記載の装置。
【請求項２０】
不足している金種の流出とあまり不足していない金種の流出とを切替えることにより、かつ、あまり大量に供給されない金種の流出と大量に供給されている金種の流出とを切替えることにより、前記紙幣保管コンポーネントおよび硬貨保管コンポーネントにおける紙幣および硬貨のレベルを自動的に調整するように構成されている、請求項１〜１９のいずれか一項に記載の装置。
【請求項２１】
混合された金種の紙幣の流出のために、スロットを内部に有する外部カバーを備え、該スロットは、外部紙幣搬送システム内のスロットと物理的に連動するように構成されており、該紙幣搬送システムは、紙幣の転送とのみ関連して前記装置と接続され、これにより、該装置内に存在する紙幣のセキュリティを実質的に低下させるように該装置の該外部カバーが開放されることなく、該装置と該搬送システムとの間で紙幣を配分することを可能にし、該装置は、該紙幣搬送システムに通じている処理ユニットをさらに備えた、請求項１〜２０のいずれか一項に記載の装置。
【請求項２２】
バンクカードリーダを備えた、請求項１〜２１のいずれか一項に記載の装置。
【請求項２３】
紙幣および硬貨が流入および流出するシステムを備え、該システムは、
ａ）異なった金種の紙幣を該システムに流入させる単一の紙幣インフィード開口部と、
ｂ）異なった金種の硬貨を該システムに流入させる単一の硬貨インフィード開口部と、
ｃ）該紙幣の完全性を識別および確認するように構成されている少なくとも１つの紙幣検出コンポーネントと、
ｄ）該硬貨の完全性を識別および確認するように構成されている少なくとも１つの硬貨検出コンポーネントと、
ｅ）前記紙幣保管コンポーネントであって、該紙幣保管コンポーネントは、少なくとも１つの薄膜の層または他の適切な材料を含み、紙幣は、薄膜の層間で転がされて、１つ以上のドラムに巻き付けられることによって保管され、最後にインフィードされた金種の紙幣は、その金種の最初にフィードアウトされる紙幣である、紙幣保管コンポーネントと、
ｇ）該紙幣インフィード開口部と該少なくとも１つの紙幣保管コンポーネントとの間で紙幣を移動させる紙幣移動コンポーネントと、
ｈ）該硬貨インフィード開口部と該少なくとも１つの硬貨保管コンポーネントとの間で硬貨を移動させる硬貨移動コンポーネントと、
ｉ）紙幣を異なった金種に分別する少なくとも１つの自動分別コンポーネントと、
ｊ）硬貨を異なった金種に分別する少なくとも１つの自動分別コンポーネントと
を備えた、請求項１に記載の装置。
【請求項２４】
種々のタイプのビジネスためのキャッシュレジスタ取引きを支援する請求項１〜２２のいずれか一項に記載の装置の使用。
【請求項２５】
現金計数センターにおける、請求項１〜２２のいずれか一項に記載の装置の使用。